(57)【要約】【課題】  本発明の目的は、表示装置に照射される外光照度が大きく変化する状態であって、使用者が観察している状態の時などに急激な輝度変更を抑えて見辛さを緩和することが出来る表示制御装置およびその制御方法を提供することである。【解決手段】画像を表示する表示手段と、表示装置に照射される外光照度を検出する外光照度検出手段と、前記検出された外光照度に対応する目標輝度値を取得する取得手段と、使用者の視線の向きを検出する視線検出手段とを備え、前記視線検出手段の検出結果に基づき、前記表示装置の輝度の変更量を制御する事を特徴とする構成とした。【選択図】  図１
2018042155.tif 000002
【特許請求の範囲】
【請求項１】
画像を表示する表示手段１５と
前記表示手段１５に照射される外光照度を検出する外光照度検出手段１６と、
検出された前記外光照度に対応する目標輝度値を算出し、取得した前記目標輝度値に基づいて設定された輝度値になるように、前記表示手段１５の輝度を制御する制御手段４と、
使用者の視線の向きを検出する視線検出手段１７とを備え、
前記視線検出手段１７の検出結果に基付いて、前記表示手段１５の輝度を制御する事を特徴とする表示制御装置。
【請求項２】
前記制御手段４は、所定の時間間隔おきに、前記外光照度検出手段１６によって検出された外光照度に基づき、前記目標輝度値を演算し、
前記視線検出手段１６の検出結果に応じて、
表示手段１５から視線が外れている場合には、前記目標輝度値の変更量に制限を加えず輝度値を設定し、
表示手段１５から視線が外れていないと判断した場合には、前記目標輝度値の変更量に制限を加えて輝度値を設定する事を特徴とする、請求項１に記載の表示制御装置。
【請求項３】
前記制御手段４は、前記目標輝度値に達するまで、輝度値を所定時間間隔で変更する事を特徴とする、請求項２に記載の表示制御装置。
【請求項４】
前記制御手段４は、前記視線検出手段１６の検出結果が、所定時間以上、視線が外れていると判断した場合に、輝度の変更を実施する事を特徴とする、請求項１乃至３のいずれか１項に記載の表示制御装置。
【請求項５】
表示装置の姿勢、或いは動きを検知する姿勢検出手段１７を備え、
前記制御手段４は、姿勢検出手段１７による姿勢検出結果が変化した場合には、
視線検出結果及び、外光照度検出結果に関わらず、輝度の変更を実施しない事を特徴とする、請求項１乃至４のいずれか１項に記載の表示制御装置。
【請求項６】
被写体の輝度を検出可能な被写体輝度検出手段８を備え、
前記制御手段４は、前記視線検出手段１６の検出結果が、表示手段１５から視線が外れており、被写体方向を向いていると判断した場合には、被写体輝度検出手段８の被写体輝度検出結果に応じて、前記目標輝度値を補正することを特徴とする、請求項１乃至５のいずれか１項に記載の表示装置を備える、撮像装置。
【発明の詳細な説明】
【技術分野】
【０００１】
本発明は、画像を表示する表示装置およびその制御方法に関するものである。
【背景技術】
【０００２】
従来、撮像素子により光電変換された電子画像を記録及び表示する多くのデジタルカメラには、撮影に必要な情報を表示する為、或いは、記録された画像を表示する為の表示装置が備えられている。表示装置に実際に用いられるデバイスとして、ＴＦＴ液晶表示装置が一般的である。その他、有機ＥＬ表示装置などが用いられる場合もある。デジタルカメラの場合、使われる環境の明るさは、晴天屋外の場合や暗い室内の場合など、様々である。従って、表示装置に表示する画像等の明るさを環境光の明るさに応じて最適なものに自動調整することが行われる。
【０００３】
特許文献１および特許文献２には、表示装置に表示する画像等の明るさを環境光の明るさに応じて自動調整する例が示されている。特許文献１に記載の電子カメラは、環境光すなわちカメラに照射する外光照度の明るさ情報を撮像素子による映像情報から得ることで、画像を表示する液晶パネルのバックライトの輝度を調節する。なお、この特許文献１では、カメラに備えられたストロボへの充電動作を行っている場合、充電側への電力確保のためバックライトの輝度を下げる工夫が開示されている。
【０００４】
また、特許文献２に記載のカメラは、環境光の照度のみならず、撮影レンズを介して得られる撮影画像の明るさ情報を加味して、画像を表示する液晶のバックライトの輝度を調節する方法が開示されている。特許文献１、２のいずれのカメラにおいても、外光照度の明るさの変化に応じて液晶表示装置の輝度を変化させ、見易い輝度に調整することが可能となる。
【先行技術文献】
【特許文献】
【０００５】
【特許文献１】特開平８−２４２３９８号公報
【特許文献２】特開２０１０−１４７８６２号公報
【発明の概要】
【発明が解決しようとする課題】
【０００６】
しかしながら、前述の特許文献に開示された従来技術では、次のような課題があった。例えば、屋外での使用で日差しが撮影者によって遮られる、或いは遮られなくなるなどにより、カメラに照射される外光照度が大きく変化する場合、液晶表示装置の輝度が外光照度の変化に応じて急に明るくなったり暗くなったりすることを繰り返す場合がある。このように、外光照度の変化に応じて輝度調整が行われると、それによって生じる明るさの急激な変化が、カメラの使用者に見づらく感じさせる場合がある。
【０００７】
そこで、本発明の目的は、表示装置に照射される外光照度が大きく変化する状態であって、使用者が観察している状態の時などに急激な輝度変更を抑えて見辛さを緩和することが出来る表示制御装置およびその制御方法を提供することである。
【課題を解決するための手段】
【０００８】
上記目的を達成するために、本発明は、画像を表示する表示装置を制御する表示制御装置であって、前記表示装置に照射される外光照度を検出する照度検出手段と、前記検出された外光照度に対応する目標輝度値を取得する輝度取得手段と、取得した前記目標輝度値に基づいて設定された輝度設定値になるように、前記表示装置の輝度を制御する制御手段と、
使用者の視線の向きを検出する視線検出手段とを備え、前記視線検出手段の検出結果に基付いて、前記表示装置の輝度の変更量を制御する事を特徴とする。
【発明の効果】
【０００９】
本発明によれば、使用者の視線検出結果により、表示装置の輝度制御方法を変えることで、使用者が観察している状態時には、急激な輝度変更を抑えて見辛さを緩和する事が出来る。また、視線が外れていた場合には、輝度変更量の制限無く輝度変更を実施するので、視線を表示装置に戻した時に、見易い輝度で表示されており、視認性が良い表示装置を提供することが出来る。
【図面の簡単な説明】
【００１０】
【図１】本発明の実施の形態に係るデジタル一眼レフカメラのブロック図
【図２】カメラ本体１を背面から見た外観図
【図３】本発明の実施の形態に係る視線検出手段のシステム構成図
【図４】本発明の第１の実施形態におけるフローチャート
【図５】本発明の第２の実施形態におけるフローチャート
【発明を実施するための形態】
【００１１】
以下に、本発明の好ましい実施の形態を、添付の図面に基づいて詳細に説明する。
【００１２】
［実施例１］
図１は、本発明の第1の実施例による表示装置を搭載するデジタルカメラの電気回路の構成を示すブロック図である。デジタルカメラは、カメラ本体１とレンズ５０から構成されており、レンズ５０はカメラ本体１から着脱可能に構成されている。図１において、カメラ本体１の電源回路部２は電池３より電源供給を受け、安定化電源を生成して以下に説明する各回路構成要素を動作可能とする。
【００１３】
制御手段４はカメラ本体１の全体制御を行う。制御手段４は各種動作モードに応じて各回路構成要素への電源供給の制御信号を電源回路部２へ出力する。また、制御手段４には撮影準備動作と撮影開始を指示するレリーズスイッチ５及び、操作部材６が接続されている。操作部材６は各種カメラ動作の設定を行う為のスイッチである。レンズ５０を透過した被写体光は光学ローパスフィルタ及び赤外カットフィルタを一体化した光学フィルタ７を透過し、撮像素子８に露光される。
【００１４】
撮像素子８は光学像を電気信号に変換する例えばＣＣＤ或いはＣＭＯＳ等の２次元エリアセンサーから構成される。撮像素子８の出力はＣＤＳ／ＡＧＣ９でノイズリダクションとゲイン調整が実施され、Ａ／Ｄ変換回路１０でアナログ信号からデジタル信号に変換され、画像処理部１１に入力される。
【００１５】
画像処理部１１は画像情報に対する色合い調整やコントラスト調整やエッジ強調（輪郭強調）などの画像処理を施したり、記憶手段１２に対して画像情報の記憶や読み出しを行うために画像情報の圧縮や伸長等の画像データの変換処理を行う。記憶手段１２は着脱可能な半導体メモリや磁気ディスク、光ディスク等からなり、撮像された画像情報を記憶する。
【００１６】
更に、画像処理部１１は、被写体の輝度を算出し、制御手段４へ通知する。制御手段４は、取得した被写体の輝度情報から、シャッタ（不図示）やレンズ５０の絞り（不図示）を制御し、撮像素子８への露出量を制御する。また、画像処理部１１はタイミングジェネレータ（ＴＧ／ＶＤＲ）１３を駆動して、これによって撮像素子８に供給すべきクロック信号等を発生させる。制御手段４と画像処理部１１には一次メモリ１４が接続されており、提供すべきプログラムを格納したり、撮影画像を一時的に格納したりするため、及び、作業領域としても使われる。
【００１７】
画像処理部１１は表示用画像情報を表示手段１５に出力し、撮像された画像等がモニタ表示される。表示手段１５は液晶装置等で構成され、液晶装置の場合、その内部は液晶パネル１５ａとバックライト１５ｂに分割される。液晶装置の表示の明るさは、バックライト１５ｂの輝度を変えることで実現される。
【００１８】
照度センサ１６は、ＳＰＣ(silicone photo cell）などの光電変換素子により、カメラ背面に照射する外光照度に応じた信号を出力する。視線検出手段１７は、使用者の視線の方向を検出する手段であり、例えば、赤外の発光部と受光部で構成される。制御手段４は照度センサ１６の出力及び、視線検出手段１７の検出結果に応じて、バックライト１５ａの輝度制御を行う。
【００１９】
制御手段４には姿勢検出手段１８が更に接続されている。姿勢検出手段１８は加速度センサなどで構成され、カメラ本体１の向きや変化を検出し、検出結果に応じて、制御手段４はカメラ制御を行う。
【００２０】
図２は、カメラ本体１を背面から見た外観図である。カメラ本体１の背面には、光学ファインダの接眼部２０１、表示手段１５、照度センサ１６、視線検出手段１７が配置されている。また、レリーズスイッチ５及び、各種操作部材６が配置されている。
【００２１】
撮影モードダイアル６ａは、回転させることでプログラムオート、シャッタ優先、絞り優先、マニュアルなど各種の撮影モードを選択できる操作部材であり、メニュー釦６ｂは、カメラの機能等の設定メニュー表示を行わせる場合に使用される。また、再生釦６ｃは記録済み画像を表示手段１５に再生させる場合に使う操作部材であり、消去釦６ｄは、表示した記録済み画像を消去する場合に使用される。十字釦６ｅは、メニュー表示画面などで上下や左右の入力が可能であり、カメラの各種設定項目の選択を行う。電源スイッチ６ｆは、カメラの動作のオン・オフを制御するスイッチで、電源スイッチ６ｆがオン状態の場合、カメラは使用者の撮影や画像の再生などの各種操作を受け付ける。電源スイッチがオフ状態の場合には、カメラは省電力モードとなり、電源スイッチ以外の操作は受け付けなくなる。
【００２２】
照度センサ１６は表示手段１５のバックライト１５ｂの輝度を調節する事が目的の為、表示手段１５と同一の面に配置される事が望ましい。また、各種操作部材６の操作時に操作者の手により、照度センサ１６が外光を遮られると外光照度を正確に測定する事が出来なくなる。従って、照度センサ１６は、操作部材６を操作した場合でも外光を遮らない配置とすることが望ましい。更に、視線検出手段１７は表示手段１５を使用者が視認しているか否かを判別する事が目的の為、表示手段１５と同一の面に配置される事が望ましい。
【００２３】
また、各種操作部材６の操作時に操作者の手により、視線検出手段１７への視線が遮られると視線を検出する事が出来なくなる。従って、視線検出手段１７は、操作部材６を操作した場合でも視線を遮らない配置とすることが望ましい。
【００２４】
図３は、本実施例での視線検出手段１７の構成例を表すシステム構成図である。光源３０１は赤外領域の波長で発光する赤外ＬＥＤなどである。制御手段４からの視線検出開始の指示を受け、光源制御部３０２は視線検出動作に応じて、光源３０１の点灯及び消灯を制御する。撮像制御部３０３は視線検出処理実行中において、眼球撮像部３０４が撮影するタイミングを制御する。撮像制御部３０３は光源制御部３０２から光源３０１が点灯したことを通知されると、眼球撮像部３０４に撮像指示信号を送信する。
【００２５】
顔検出部３０５は撮影者の眼が映っている領域を特定するために、眼球撮像部が撮影した画像から、顔が映っている領域を公知のテンプレートマッチング等を利用し検出する。プルキニエ像検出部３０６は顔検出部３０５が検出した顔領域の中から、眼が映っている領域を検出し、その中から光源３０１の角膜反射像（以下、プルキニエ像）と瞳孔を検出する。眼及び瞳孔の検出は、例えば眼及び瞳孔のテンプレート画像と顔領域の画像とで公知のテンプレートマッチングにより検出する。
【００２６】
光源３０１のプルキニエ像が映っている領域の輝度は、その周辺よりも高い。そこで、眼の領域内で光源３０１の発光面の輪郭形状と略一致し、周辺よりも輝度の高い領域を検出し、プルキニエ像とする。そして、プルキニエ像検出部３０６は瞳孔重心とプルキニエ像の重心を視線検出部３０７へ通知する。
【００２７】
視線検出部３０７は瞳孔重心とプルキニエ像の重心に基づいて撮影者の視線方向を検出する。光源のプルキニエ像の位置は、角膜の表面が略球形であるため、視線方向によらず、一定となる。
【００２８】
一方、瞳孔重心は撮影者の視線方向に応じて移動する。そのため、視線検出部３０７は、プルキニエ像の重心を基準とする瞳孔重心の相対的な位置を求めることにより、ユーザの視線方向を検出できる。
【００２９】
視線検出部３０７は、使用者の視線方向を注視点検出部３０９へ通知する。距離推定部３０８は、顔検出部３０５で求めた顔領域から、目や鼻等の器官を検出し、各器官間距離を求める。更に、距離推定部３０８は求めた各器官間距離に応じて、使用者と表示手段１５との使用者距離を算出し、注視点検出部３０９へ通知する。
【００３０】
注視点検出部３０９は、視線検出部３０７の視線方向検出結果及び、距離推定部３０８からの使用者距離出力結果に基づいて、使用者の視線方向が表示手段１５か否か、或いは、被写体方向か否かを判定し、判定結果を制御手段４へ通知する。
【００３１】
尚、本実施例では視線検出手段１７の例として、前述の角膜反射像での検出方法について説明したが、これに限るものではない。主被写体の画像を取得する撮像素子とは異なる撮像素子を用いて、カメラ背面の画像を取得し、取得した画像情報から視線を検出しても良いし、それ以外の方法でも良い。
【００３２】
図４は本実施形態にかかわるデジタルカメラの表示手段のバックライト１５ｂの輝度変更処理のフローチャートである。操作部材６を使用者が操作すると、操作内容に応じて、表示手段１５にカメラの各種設定画面や、撮影画像、或いは、ライブビュー画像の表示を行う。表示手段１５が前記項目の表示状態の場合に、バックライト１５ｂの輝度の制御シーケンスが実行される。
【００３３】
（Ｓ４０１）バックライト１５ｂの現在の輝度設定値をＢ０とする。
【００３４】
（Ｓ４０２）照度センサ１６から外光照度を取得し、取得した外光照度をＬ１とする。
【００３５】
（Ｓ４０３）制御手段４は、取得した外光照度Ｌ１から、バックライト１５ｂの目標輝度設定値Ｂ１を算出する。
【００３６】
（Ｓ４０４）制御手段４は、現在の輝度設定値Ｂ０と算出した目標輝度設定値Ｂ１を比較して、輝度差が所定の輝度閾値Ｂｘ以上であれば、Ｓ４０５に移行する。前記輝度差が輝度閾値Ｂｘ未満であった場合には、バックライト１５ｂの輝度変更は実施せず、Ｓ４１２へ移行する。
【００３７】
ここで、輝度閾値Ｂｘは照度センサの検出ばらつきや外光のムラなど、表示手段１５の見えに影響が無い変化量であり、微小な輝度変更を繰り返さない為の閾値である。輝度閾値Ｂｘよりも小さい輝度変化量の場合には、輝度変更は実施しない。尚、輝度閾値Ｂｘは固定値としても良いし、現在の輝度値に応じた値からの比率で算出しても良い。但し、輝度閾値を小さい値にした場合、外光照度の僅かな変化でも輝度を変更する事になり、大きい値とした場合には輝度変更が実施され難くなる。
【００３８】
（Ｓ４０５）制御手段４は、現在の輝度設定値Ｂ０と算出した目標輝度設定値Ｂ１を比較して、輝度差が所定の輝度変更制限値Ｂｌｉｍ未満であれば、前記目標輝度設定値Ｂ１に変更しても使用者が不快に感じないと判断し、Ｓ４０６に移行する。また、前記輝度差が輝度変更制限値Ｂｌｉｍ以上であった場合には、前記目標輝度設定値Ｂ１に変更した場合、使用者が不快に感じると判断し、輝度変更量を制限する為に、Ｓ４０８へ移行する。
【００３９】
ここで、輝度変更制限値Ｂｌｉｍは、バックライトの輝度を変化させた時に使用者が不快に感じない変更量であり、固定値としても良いし、現在の輝度値に応じた値からの比率で算出しても良い。
【００４０】
（Ｓ４０６）制御手段４は、前記目標輝度設定値Ｂ１に変更しても使用者が不快に感じないと判断し、輝度設定値Ｂｓを目標輝度設定値Ｂ１に変更する。
【００４１】
（Ｓ４０７）制御手段４はバックライト１５ｂの輝度を輝度設定値Ｂｓに基づいて変更を実施する。
【００４２】
（Ｓ４０８）視線検出手段１７の視線方向の検出結果から、使用者の視線が表示手段１５から外れていると判断した場合には、前記目標輝度設定値Ｂ１に変更しても使用者が不快に感じないと判断する。Ｓ４０６へ移行し、目標輝度設定値Ｂ１を輝度設定値Ｂｓとしてバックライト１５ｂの輝度を変更する。
【００４３】
（Ｓ４０９）制御手段４は、変更量を制限した輝度設定値を算出する為、前記目標輝度設定値Ｂ１が現在の輝度設定値Ｂ０より明るいか暗いかの判別を実施する。現在の輝度設定値Ｂ０と目標輝度設定値Ｂ１の減算結果が正の値を取るか否かを判別し、正の値を取る場合にはＳ４１０へ移行し、正の値を取らない場合には、Ｓ４１１へ移行する。
【００４４】
（Ｓ４１０）制御手段４は変更量を制限した輝度設定値を決定する為、バックライト１５ｂの輝度設定値Ｂｓを、現在の輝度設定値Ｂ０に輝度変更制限値Ｂｌｉｍを減算した値に変更する。
【００４５】
（Ｓ４１１）制御手段４は変更量を制限した輝度設定値を決定する為、バックライト１５ｂの輝度設定値Ｂｓを、現在の輝度設定値Ｂ０に輝度変更制限値Ｂｌｉｍを加算した値に変更する。
【００４６】
（Ｓ４１２）制御手段４は、表示手段１５の表示動作を終了するか継続するかを判断し、表示動作が終了する場合にはＳ４１３へ移行する。表示動作を継続する場合と判断した場合には、Ｓ４１４へ移行する。
【００４７】
（Ｓ４１３）制御手段４はバックライト１５ｂを消灯し、表示手段１５の終了処理を行い、輝度制御シーケンスも終了する。
【００４８】
（Ｓ４１４）制御手段４は、所定の時間待ってＳ４０１へ戻り、表示手段の輝度制御シーケンスを再開する。
【００４９】
従って、現在の輝度設定値Ｂ０と目標輝度設定値Ｂ１の輝度差が、輝度変更制限値Ｂｌｉｍ以上であった場合には、Ｓ４１４の待ち時間を持って、段階的に外光照度Ｌ１に対応する目標輝度設定値Ｂ１まで変更される。
【００５０】
ここで、Ｓ４１４の待ち時間は固定値としても良いし、外光照度が急激に変化した場合に変化する時間が長過ぎる懸念がある場合には、輝度差に応じて時間を可変しても良い。
【００５１】
以上述べたように本実施の形態によれば、使用者の視線検出結果により、使用者が観察している状態時には、急激な輝度変更を抑えて見辛さを緩和する事が出来る。また、視線が外れていた場合には、輝度変更量の制限無く輝度変更を実施するので、視線を表示装置に戻した時に、見易い輝度で表示されており、視認性が良い表示装置を提供することが可能となる。
【００５２】
［実施例２］
第２の実施形態では、視線検出手段１７の検出結果をより活用し、姿勢検出手段１８と合せた、バックライト１５ｂの輝度変更手法について説明する。尚、第２の実施形態のデジタルカメラの電気回路の構成（図１参照）および外観（図２参照）は前記第１の実施形態と同様であるので、その説明を省略する。
【００５３】
以下、図５を参照して、本発明の第２の実施例による、輝度変更のシーケンスについて説明する。
【００５４】
（Ｓ５０１）バックライト１５ｂの現在の輝度設定値をＢ０とする。
【００５５】
（Ｓ５０２）姿勢検出手段１８による検出結果が所定時間以上、所定の範囲以下の変動であった場合には、カメラ本体の姿勢が同じ状態であると判断し、Ｓ５０３へ移行する。すなわち、カメラ本体１の姿勢が変化している場合には、使用者が表示手段を見ていないと判断し、輝度変更をせず、カメラ本体１の姿勢が変化しなくなったら、輝度変更シーケンスを開始する。
【００５６】
（Ｓ５０３）照度センサ１６から外光照度を取得し、取得した外光照度をＬ１とする。
【００５７】
（Ｓ５０４）視線検出手段１７の視線方向の検出結果から、使用者の視線が表示手段１５に向いていると判断した場合には、Ｓ５０５へ移行する。使用者の視線が表示手段１５から外れていると判断した場合には、Ｓ５０６へ移行する。
【００５８】
（Ｓ５０５）制御手段４は、取得した外光照度Ｌ１から、バックライト１５ｂの目標輝度設定値Ｂ１を算出する。
【００５９】
（Ｓ５０６）視線検出手段１７の視線方向の検出結果から、使用者の視線が被写体方向に向いていると判断した場合には、被写体輝度に応じて目標輝度設定値を補正する為、Ｓ５０７へ移行する。使用者の視線が被写体方向を向いていないと判断した場合には、前記目標輝度設定値Ｂ１に変更しても使用者が不快に感じないと判断し、Ｓ５１０へ移行する。
【００６０】
（Ｓ５０７）画像処理部１１は、撮像素子８からの被写体の画像信号より、被写体の全体の輝度を算出し、制御手段４へ通知する。制御手段４は取得した被写体像の輝度値と外光照度Ｌ１に応じて、バックライト１５ｂの目標輝度設定値Ｂ１を算出する。ここで、目標輝度設定値Ｂ１は、被写体の輝度値が外光照度Ｌ１より明るい場合には、明るくなる様に補正を実施する。
【００６１】
（Ｓ５０８）制御手段４は、現在の輝度設定値Ｂ０と算出した目標輝度設定値Ｂ１を比較して、輝度差が所定の輝度閾値Ｂｘ以上であれば、Ｓ５０９に移行する。前記輝度差が輝度閾値Ｂｘ未満であった場合には、バックライト１５ｂの輝度変更は実施せず、Ｓ５１５へ移行する。
【００６２】
（Ｓ５０９）制御手段４は、現在の輝度設定値Ｂ０と算出した目標輝度設定値Ｂ１を比較して、輝度差が所定の輝度変更制限値Ｂｌｉｍ未満であれば、前記目標輝度設定値Ｂ１に変更しても使用者が不快に感じないと判断し、Ｓ５１０に移行する。前記輝度差が輝度変更制限値Ｂｌｉｍ以上であった場合には、前記目標輝度設定値Ｂ１に変更した場合、使用者が不快に感じると判断し、輝度変更量を制限する為に、Ｓ５１２へ移行する。
【００６３】
（Ｓ５１０）制御手段４は、輝度設定値Ｂｓを目標輝度設定値Ｂ１に変更し、Ｓ５１１へ移行する。
【００６４】
（Ｓ５１１）制御手段４はバックライト１５ｂの輝度を輝度設定値Ｂｓに基づいて変更を実施する。
【００６５】
（Ｓ５１２）制御手段４は、変更量を制限した輝度設定値を算出する為、前記目標輝度設定値Ｂ１が現在の輝度設定値Ｂ０より明るいか暗いかの判別を実施する。現在の輝度設定値Ｂ０と目標輝度設定値Ｂ１の減算結果が正の値を取るか否かを判別し、正の値を取る場合にはＳ５１３へ移行し、正の値を取らない場合には、Ｓ５１４へ移行する。
【００６６】
（Ｓ５１３）制御手段４は変更量を制限した輝度設定値を決定する為、バックライト１５ｂの輝度設定値Ｂｓを、現在の輝度設定値Ｂ０に輝度変更制限値Ｂｌｉｍを減算した値に変更し、Ｓ５１１へ移行する。
【００６７】
（Ｓ５１４）制御手段４は変更量を制限した輝度設定値を決定する為、バックライト１５ｂの輝度設定値Ｂｓを、現在の輝度設定値Ｂ０に輝度変更制限値Ｂｌｉｍを加算した値に変更し、Ｓ５１１へ移行する。
【００６８】
（Ｓ５１５）制御手段４は、表示手段１５の表示動作を終了するか継続するかを判断し、表示動作が終了する場合にはＳ５１６へ移行する。表示動作を継続する場合と判断した場合には、Ｓ５１７へ移行する。
【００６９】
（Ｓ５１６）制御手段４はバックライト１５ｂを消灯し、表示手段１５の終了処理を行い、輝度制御シーケンスも終了する。
【００７０】
（Ｓ５１７）制御手段４は、所定の時間待ってＳ５０１へ戻り、表示手段の輝度制御シーケンスを再開する。ここで、実施例１と同様に、現在の輝度設定値Ｂ０と目標輝度設定値Ｂ１の輝度差が、輝度変更制限値Ｂｌｉｍ以上であった場合には、Ｓ５１７の待ち時間を持って、段階的に外光照度Ｌ１に対応する目標輝度設定値Ｂ１まで変更される。
【００７１】
以上述べたように本実施の形態によれば、カメラの姿勢検出結果を使用するので、表示手段の姿勢を変えている途中の外光照度の変化でバックライトの輝度を変更しないで済む。また、使用者の視線検出結果と被写体輝度の情報を用いるので、使用者の目が被写体の明るさに慣れている場合でも、その分を加味してバックライトの輝度を決定する事が出来るので、視線を表示手段に戻した時に、見易い輝度で表示されており、視認性が良い表示手段を提供することが可能となる。
【００７２】
以上、本発明の好ましい実施形態について説明したが、本発明はこれらの実施形態に限定されず、その要旨の範囲内で種々の変形及び変更が可能である。
【符号の説明】
【００７３】
１  カメラ本体
４  制御手段
８  撮像素子
１５  表示手段
１５ｂ  液晶用のバックライト
１６  照度センサ
１７  視線検出手段
１８  姿勢検出手段
【図１】
2018042155.tif 000003
【図２】
2018042155.tif 000004
【図３】
2018042155.tif 000005
【図４】
2018042155.tif 000006
【図５】
2018042155.tif 000007